(57)【要約】【課題】装置本体を小型化、軽量化し、使用者が身体に着用して快適に使用できる送風式薬剤放散装置とする。【解決手段】装置本体１に着用具２を設け、その着用具２によって使用者の身体に着用して使用する送風式薬剤放散装置において、前記着用具２に有機ラジカル電池３を設け、この有機ラジカル電池３を電源として送風機６を駆動するようにし、装置本体１を小型化、軽量化し、使用者が身体に着用して快適に使用できるようにする。【選択図】図１
2010068745.tif 000002
【特許請求の範囲】
【請求項１】
送風機６と薬剤保持体７を有し、その送風機６を駆動することで薬剤保持体７から薬剤を揮散し、その揮散した薬剤を大気に放散する装置本体１と、
前記装置本体１に設けられ、その装置本体１を使用者の身体に着用するための着用具２を備え、
前記着用具２に有機ラジカル電池３を取付け、この有機ラジカル電池３を電源として前記送風機６を駆動するようにしたことを特徴とする送風式薬剤放散装置。
【請求項２】
前記着用具２に電池取付部２ａを設け、この電池取付部２ａに有機ラジカル電池３を着脱自在に取付けた請求項１記載の送風式薬剤放散装置。
【請求項３】
前記有機ラジカル電池３と前記送風機６のモータ６ａとを連結コード８で電気的に連結した請求項１又は２記載の送風式薬剤放散装置。
【発明の詳細な説明】
【技術分野】
【０００１】
本発明は、芳香剤、消臭剤、除菌剤、殺ダニ剤、害虫あるいは害獣忌避剤、殺虫剤、または害虫の成長制御剤、吸血阻止剤などで、揮散性の薬剤を送風機の風の力で揮散し、その揮散した薬剤を大気に放散させる送風式薬剤放散装置に関する。
【背景技術】
【０００２】
前述の送風式薬剤放散装置は、昨今その便利性から電池を電源とする携帯式の送風式薬剤放散装置が種々提案されている。
例えば、特許文献１には、人の腰に装着しているベルト等に引っ掛けて使用する送風式薬剤放散装置が開示されている。
特許文献２には、人の手首等に着用バンドで装着して使用する送風式薬剤放散装置が開示されている。
特許文献３には、人の首等に吊り下げて使用する送風式薬剤放散装置が開示されている。
特許文献４には、装置本体と電池を別とした送風式薬剤放散装置が開示されている。
【０００３】
【特許文献１】特開２００１−１９７８５６号公報
【特許文献２】特開２００４−２４１６１号公報
【特許文献３】特開２００７−２７４９９１号公報
【特許文献４】特開２００５−３１２３３５号公報
【発明の開示】
【発明が解決しようとする課題】
【０００４】
前述した特許文献１，２，３に開示した従来の送風式薬剤放散装置にあっては、装置本体に揮散性の薬剤成分を収めた薬剤と、この薬剤から揮散した薬剤成分を放出口から外部に放散するための送風機と、さらに１番の重量物である送風機を動かす電源である電池をそれぞれ備えている。
このことから、装置本体は大型化し、かつ重量が重くなり、使用者が装置本体の大型化や重い重量によって、非常に使用しづらくなる問題がある。特に、使用者がこの送風式薬剤放散装置を手首や首などに取付けて使用する場合、その大きさによる違和感やその重量による疲れによって不快な思いを感じる。
【０００５】
前述した特許文献４に開示した従来の送風式薬剤放散装置は、装置本体と電池が別であるから、装置本体の小型化や軽量化は図られたが、装置本体と電池を接続する連結コードの取り扱いの煩わしさや、電池を身体に保持することによる身体への違和感や連結コードが邪魔になり鬱陶しいなどによって不快な思いを感じることから、まだ満足する送風式薬剤放散装置とは言い難い。
【０００６】
本発明の目的は、装置本体の小型化（薄型化）や軽量化を図り、使用者が身体に着用して使用する際の不快感等をなくして、快適に使用することができる送風式薬剤放散装置を提供することである。
【課題を解決するための手段】
【０００７】
本発明者等は、送風式薬剤放散装置の装置本体の軽量化、小型化を図るために鋭意研究した結果、近年開発された有機ラジカル電池は、厚みが薄く、曲げられることに注目し、本発明に到った。
【０００８】
本発明は、送風機６と薬剤保持体７を有し、その送風機６を駆動することで薬剤保持体７から薬剤を揮散し、その揮散した薬剤を大気に放散する装置本体１と、
前記装置本体１に設けられ、その装置本体１を使用者の身体に着用するための着用具２を備え、
前記着用具２に有機ラジカル電池３を取付け、この有機ラジカル電池３を電源として前記送風機６を駆動するようにしたことを特徴とする送風式薬剤放散装置である。
【０００９】
本発明においては、前記着用具２に電池取付部２ａを設け、この電池取付部２ａに有機ラジカル電池３を着脱自在に取付けることができる。
【００１０】
このようにすれば、有機ラジカル電池３を着用具２から取り外しできるから、その有機ラジカル電池３を交換できるし、又は装置本体１とは別にして簡単に充電することもできる。
【００１１】
本発明においては、前記有機ラジカル電池３と前記送風機６のモータ６ａとを連結コード８で電気的に連結することができる。
【００１２】
このようにすれば、有機ラジカル電池３の電力を連結コード８でモータ６ａに供給できる。
【発明の効果】
【００１３】
本発明によれば、装置本体１には電池を設けていないので、その装置本体１を小型化（薄型化）、軽量化できる。
また、着用具２に有機ラジカル電池３を取付けたので、その有機ラジカル電池３と送風機６を連結コードで連結した場合に、その連結コードが邪魔にならない。
また、有機ラジカル電池３は薄く軽量であるから、その有機ラジカル電池３によって全体が重くなることがない。
これらが相俟って、装置本体１の小型化、軽量化を図り、使用者が身体に着用して使用する際の使用者の不快感をなくして、快適に使用することができる。
【発明を実施するための最良の形態】
【００１４】
図１に示すように、装置本体１に着用具２を設け、その着用具２に有機ラジカル電池３が取付けてある。
前記装置本体１は図１、図４に示すように、第１流通口４と第２流通口５を有した中空形状で、その装置本体１内に送風機６と薬剤保持体７が設けてあり、その送風機６を駆動すると第１流通口４と第２流通口５とに空気が流通し、その空気が薬剤保持体７に触れて薬剤を揮散し、その揮散した薬剤は空気とともに大気に放散される。
前記送風機６はモータ６ａでファン６ｂを回転するものである。
前記薬剤保持体７は、薬剤容器７ａ内にシート状の薬剤含浸体７ｂを設けたものである。
【００１５】
前記着用具２は電池取付部２ａを有し、この電池取付部２ａに図３に示すように、有機ラジカル電池３が着脱自在に取付けてあり、この有機ラジカル電池３と前記モータ６ａが連結コード８で電気的に連結してある。
前記有機ラジカル電池３は、ラジカルと呼ばれるプラスチック材料に電気を蓄積する電池で、厚みが薄く（１ｍｍ以下）、曲げられる。
例えば、図４、図５に示すように、負極１０とラジカル正極１１をセパレータ１２を介在して重ね、その負極１０、ラジカル正極１１に外装用フィルム１３を重ね合わせ、負極リード１４と正極リード１５を外装用フィルム１３から張り出したもので、その負極リード１４と正極リード１５から電気を取り出しする。
この有機ラジカル電池３の形状は、好ましくはシート型である。
【００１６】
このようであるから、装置本体１は電池を有していないから、その装置本体１を小型化（薄型化）、軽量化を図ることができる。
また、有機ラジカル電池３のために着用具２が重くなることがないし、その有機ラジカル電池３が着用の際に邪魔にならない。
また、連結コード８は装置本体１と着用具２に亘って配設されているから、その連結コード８が邪魔になることがない。
これらが相俟って、使用者が身体に着用して使用する際の使用者の不快感等をなくし、快適に使用することができる。
【００１７】
なお、連結コード８は装置本体１と着用具２とに亘って埋設して設けるようにしても良い。
【００１８】
前述の有機ラジカル電池３は、一次電池として、又は二次電池として使用することができる。
例えば、一次電池として使用する場合、有機ラジカル電池３を取り出しできるから、新しい有機ラジカル電池３と交換することができる。
また、例えば二次電池として使用する場合、有機ラジカル電池３を取り出しできるから、装置本体１とは別にして、簡単に充電できるようにすることができる。
また、有機ラジカル電池３を着用具２に埋設して設けて取り外しできないようにしても良い。この場合、二次電池として使用する。
【００１９】
前記着用具２は着用バンド２０で、長手方向一端部にバックル２１を有し、長手方向他端部に穴２２を複数有している。
前記着用バンド２０は装置本体１の取付用孔１ａに挿入して取付けてある。
これに限ることはなく、着用バンド２０を一側バンドと他側バンドに分割し、それぞれを装置本体１に連結するようにしても良い。
前記有機ラジカル電池３は曲げることができるので、着用バンド２０を人の腰、手首などに巻きつけて着用するときに、有機ラジカル電池３は着用バンド２０とともに曲がるから、着用バンド２０の着用を阻害することがない。
【００２０】
図３に示すように、着用バンド２０の一部分の凹陥部２３を形成し、その凹陥部２３をシート２４で閉塞するようにして前述の電池取付部２ａとしてある。
そして、シート２４を剥離した状態で凹陥部２３内に有機ラジカル電池３を入れ、シート２４を面ファスナーなどで着用バンド２０に貼り付けて取付ける。
このとき、前述した有機ラジカル電池３の正極・負極リード１４，１５が連結コード８に電気的に接続するようにする。
【００２１】
前述の実施の形態では、着用バンド２０に形成した凹陥部２３とシート２４で電池取付部２ａとしたが、着用バンド２０に貼着部、例えば両面テープ、接着剤、面ファスナーのテープ片などを固着し、その貼着部に有機ラジカル電池３を貼着するようにして電池取付部２ａとしても良い。
この場合には、有機ラジカル電池３を、ケースや袋などに収容し、そのケース、袋を貼着することが好ましい。
また、着用バンド２０に袋状の収容部を固着し、その収容部内に有機ラジカル電池３を収容するようにして電池取付部２ａとしても良い。
また着用バンド２０に有機ラジカル電池３が挿入する溝を形成し、その溝を電池取付部２ａとしても良い。
また、着用バンド２０に有機ラジカル電池３を内蔵しても良い。
【００２２】
前述の実施の形態では、着用具２を着用バンド２０としたが、これに限ることはなく、種々の着用具とすることができる。
例えば、図６、図７に示すように、装置本体１の背面（第１流通口４と反対側の面）にプレート３０を取付け、このプレート３０の裏面（装置本体１と反対側の面）に止め手段３１を設けて着用具２とする。
前記止め手段３１としては、粘着ワッペン、安全ピン、クリップなどで、この着用具２は身体の被覆物に固着して使用する場合に適している。
例えば止め手段３１が粘着ワッペンであれば、衣服（上着服やズボン）又は帽子に貼着して使用し、安全ピンの場合には衣服、帽子に止めて使用し、クリップの場合には上着服のポケットに引っ掛けて使用する。
この場合には、プレート３０に電池取付部２ａを設けて有機ラジカル電池３を着用具２に取付ける。
【００２３】
図８と図９に示すように、装置本体１の背面にプレート４０を取付け、このプレート４０にフック４１を設けて着用具２とする。
この着用具２であれば身体の被覆物に引っ掛けて使用する場合に適している。
例えば、衣服のポケットやベルトにフック４１を引っ掛けて使用する。
この場合には、プレート４０に電池取付部２ａを設けて有機ラジカル電池３を着用部２に取付ける。
【００２４】
図１０と図１１に示すように、装置本体１の背面に円板状のプレート５０を取付け、このプレート５０に鎖や紐などの索条５１をリング状に設けて着用具２とする。
この着用具２であれば、身体の首やベルトに吊り下げて使用する場合に適している。
この場合には、プレート５０に電池取付部２ａを設けて有機ラジカル電池３を着用具２に取付ける。
【図面の簡単な説明】
【００２５】
【図１】本発明の第１の実施の形態を示す斜視図である。
【図２】装置本体１の断面図である。
【図３】電池取付部の断面図である。
【図４】有機ラジカル電池の分解斜視図である。
【図５】有機ラジカル電池の斜視図である。
【図６】本発明の第２の実施の形態を示す正面図である。
【図７】本発明の第２の実施の形態を示す側面図である。
【図８】本発明の第３の実施の形態を示す正面図である。
【図９】本発明の第３の実施の形態を示す側面図である。
【図１０】本発明の第４の実施の形態を示す正面図である。
【図１１】本発明の第４の実施の形態を示す側面図である。
【符号の説明】
【００２６】
１…装置本体、２…着用具、２ａ…電池取付部、３…有機ラジカル電池、４…第１流通口、５…第２流通口、６…送風機、６ａ…モータ、６ｂ…ファン、７…薬剤保持体、８…連結コード、２０…着用バンド、３０…プレート、３１…止め手段、４０…プレート、４１…フック、５０…プレート、５１…索条。
【図１】
2010068745.tif 000003
【図２】
2010068745.tif 000004
【図３】
2010068745.tif 000005
【図４】
2010068745.tif 000006
【図５】
2010068745.tif 000007
【図６】
2010068745.tif 000008
【図７】
2010068745.tif 000009
【図８】
2010068745.tif 000010
【図９】
2010068745.tif 000011
【図１０】
2010068745.tif 000012
【図１１】
2010068745.tif 000013